【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
動力源と、
前記動力源から伝達される駆動力で回転する第１カップリング部材と、
前記第１カップリング部材と吸着して回転する第２カップリング部材と前記第２カップリング部材と連結された回転体とを備えるカートリッジと、
を有し、
前記第１カップリング部材は、前記第１カップリング部材の回転軸線に直交する第１駆動伝達面を備え、前記第２カップリング部材は、前記第２カップリング部材の回転軸線に直交する第２駆動伝達面を備え、前記第１駆動伝達面と前記第２駆動伝達面との間に互いに吸着する力が発生した状態で、前記第１カップリング部材から前記第２カップリング部材へ駆動力を伝達することを特徴とする画像形成装置。
【請求項２】
前記第１カップリング部材は前記第１カップリング部材の回転軸線に直交する面に対して交差する第１係合面を備え、前記第２カップリング部材は前記第２カップリング部材の回転軸線に直交する面に対して交差する第２係合面を備え、前記第１係合面と前記第２係合面が接触した状態で前記第１カップリング部材から前記第２カップリング部材へ駆動力を伝達することを特徴とする請求項１に記載の画像形成装置。
【請求項３】
前記第２カップリング部材の回転軸線に直交する方向に関して、前記第２係合面は前記第２駆動伝達面よりも前記回転軸線の近い位置に配置されていることを特徴とする請求項２に記載の画像形成装置。
【請求項４】
前記第２カップリング部材の回転軸線に直交する方向に関して、前記第２係合面は前記第２駆動伝達面よりも前記回転軸線から遠い位置に配置されていることを特徴とする請求項２に記載の画像形成装置。
【請求項５】
前記第２駆動伝達面は前記回転軸線の方向で見て、前記回転軸線を含む中心部に設けられず、前記中心部を囲む領域に設けられていることを特徴とする請求項１に記載の画像形成装置。
【請求項６】
前記第１駆動伝達面と前記第２駆動伝達面との間には静電吸着力が発生することを特徴
とする請求項１乃至５のいずれか一項に記載の画像形成装置。
【請求項７】
前記第１駆動伝達面と前記第２駆動伝達面との間には磁気吸着力が発生することを特徴とする請求項１乃至５のいずれか一項に記載の画像形成装置。
【請求項８】
前記第１駆動伝達面は磁性体の表面であり、前記第２駆動伝達面は磁石の表面であることを特徴とする請求項７に記載の画像形成装置。
【請求項９】
前記第１駆動伝達面は磁石の表面であり、前記第２駆動伝達面は磁性体の表面であることを特徴とする請求項７に記載の画像形成装置。
【請求項１０】
動力源と、前記動力源から伝達される駆動力で回転する第１カップリング部材と、を有する画像形成装置に装着可能なカートリッジであって、
前記第１カップリング部材と吸着して回転する第２カップリング部材と、
前記第２カップリング部材と連結された回転体と、
を有し、
前記第１カップリング部材は、前記第１カップリング部材の回転軸線に直交する第１駆動伝達面を備え、前記第２カップリング部材は、前記第２カップリング部材の回転軸線に直交する第２駆動伝達面を備え、前記第１駆動伝達面と前記第２駆動伝達面との間に互いに吸着する力が発生した状態で、前記第１カップリング部材から前記第２カップリング部材へ駆動力が伝達されることを特徴とするカートリッジ。
【請求項１１】
前記第１カップリング部材は前記第１カップリング部材の回転軸線に直交する面に対して交差する第１係合面を備え、前記第２カップリング部材は前記第２カップリング部材の回転軸線に直交する面に対して交差する第２係合面を備え、前記第１係合面と前記第２係合面が接触した状態で前記第１カップリング部材から前記第２カップリング部材へ駆動力が伝達されることを特徴とする請求項１０に記載のカートリッジ。
【請求項１２】
前記第２カップリング部材の回転軸線に直交する方向に関して、前記第２係合面は前記第２駆動伝達面よりも前記回転軸線の近い位置に配置されていることを特徴とする請求項１１に記載のカートリッジ。
【請求項１３】
前記第２カップリング部材の回転軸線に直交する方向に関して、前記第２係合面は前記第２駆動伝達面よりも前記回転軸線から遠い位置に配置されていることを特徴とする請求項１１に記載のカートリッジ。
【請求項１４】
前記第２駆動伝達面は前記回転軸線の方向で見て、前記回転軸線を含む中心部に設けられず、前記中心部を囲む領域に設けられていることを特徴とする請求項１０に記載のカートリッジ。
【請求項１５】
前記第１駆動伝達面と前記第２駆動伝達面との間には静電吸着力が発生することを特徴とする請求項１０乃至１４のいずれか一項に記載のカートリッジ。
【請求項１６】
前記第１駆動伝達面と前記第２駆動伝達面との間には磁気吸着力が発生することを特徴とする請求項１０乃至１４のいずれか一項に記載のカートリッジ。
【請求項１７】
前記第２駆動伝達面は磁石の表面であることを特徴とする請求項１６に記載のカートリッジ。
【請求項１８】
前記第２駆動伝達面は磁性体の表面であることを特徴とする請求項１６に記載のカート
リッジ。
【請求項１９】
カップリング部材と前記カップリング部材と連結された回転体とを備えるカートリッジであって、
前記カップリング部材は、前記カップリング部材の回転軸線に直交する駆動伝達面を備え、前記駆動伝達面は磁石又は磁性体の表面であることを特徴とするカートリッジ。
【請求項２０】
前記カップリング部材は前記カップリング部材の回転軸線に直交する面に対して交差する係合面を備えることを特徴とする請求項１９に記載のカートリッジ。
【請求項２１】
前記カップリング部材の回転軸線に直交する方向に関して、前記係合面は前記駆動伝達面よりも前記回転軸線の近い位置に配置されていることを特徴とする請求項２０に記載のカートリッジ。
【請求項２２】
前記カップリング部材の回転軸線に直交する方向に関して、前記係合面は前記駆動伝達面よりも前記回転軸線から遠い位置に配置されていることを特徴とする請求項２０に記載のカートリッジ。
【請求項２３】
前記駆動伝達面は前記回転軸線の方向で見て、前記回転軸線を含む中心部に設けられず、前記中心部を囲む領域に設けられていることを特徴とする請求項１９に記載のカートリッジ。
【手続補正２】
【補正対象書類名】明細書
【補正対象項目名】０００６
【補正方法】変更
【補正の内容】
【０００６】
上記目的を達成するために、本発明の画像形成装置は、
動力源と、
前記動力源から伝達される駆動力で回転する第１カップリング部材と、
前記第１カップリング部材と吸着して回転する第２カップリング部材と前記第２カップリング部材と連結された回転体とを備えるカートリッジと、
を有し、
前記第１カップリング部材は、前記第１カップリング部材の回転軸線に直交する第１駆動伝達面を備え、前記第２カップリング部材は、前記第２カップリング部材の回転軸線に直交する第２駆動伝達面を備え、前記第１駆動伝達面と前記第２駆動伝達面との間に互いに吸着する力が発生した状態で、前記第１カップリング部材から前記第２カップリング部材へ駆動力を伝達することを特徴とする。
また、上記目的を達成するために、本発明のカートリッジは、
動力源と、前記動力源から伝達される駆動力で回転する第１カップリング部材と、を有する画像形成装置に装着可能なカートリッジであって、
前記第１カップリング部材と吸着して回転する第２カップリング部材と、
前記第２カップリング部材と連結された回転体と、
を有し、
前記第１カップリング部材は、前記第１カップリング部材の回転軸線に直交する第１駆動伝達面を備え、前記第２カップリング部材は、前記第２カップリング部材の回転軸線に直交する第２駆動伝達面を備え、前記第１駆動伝達面と前記第２駆動伝達面との間に互いに吸着する力が発生した状態で、前記第１カップリング部材から前記第２カップリング部材へ駆動力が伝達されることを特徴とする。
さらに、上記目的を達成するために、本発明のカートリッジは、
カップリング部材と前記カップリング部材と連結された回転体とを備えるカートリッジであって、
前記カップリング部材は、前記カップリング部材の回転軸線に直交する駆動伝達面を備え、前記駆動伝達面は磁石又は磁性体の表面であることを特徴とする。